(57)【要約】【課題】簡略な構造でメンテナンスフリーであり、両手が塞がった状態でも隣接するスパンへの移動が可能であり、低コストで安全性確保が可能な安全帯装置の提供。【解決手段】作業足場や欄干間等に張設された親綱ワイヤーに、作業者の安全帯フックに接続されたスライダークリップを水平移動可能に掛け止めて作業者の安全を確保する安全帯装置において、張設された親綱ワイヤーの任意の一箇所ないし複数箇所に、該親綱ワイヤーを内包状態に支持するパイプ状の支持筒が配設されており、該支持筒の端部から端部にはスリット状間隙が形成され、親綱ワイヤーに掛け止められたスライダークリップが支持筒内を通過移動する際に該スライダークリップの安全帯フック取付部の取付脚部がスリット状間隙内を通過可能であり、作業者の非常時等に親綱ワイヤーに荷重が掛かった際には、該親綱ワイヤーが支持筒内側の荷重方向に接触して支持される構成である。【選択図】　図１
2004121584.tif 000002
【特許請求の範囲】
【請求項１】
作業足場や欄干間等に張設された親綱ワイヤーに、作業者の安全帯フックに接続されたスライダークリップを水平移動可能に掛け止めて作業者の安全を確保する安全帯装置において、
張設された親綱ワイヤーの任意の一箇所ないし複数箇所に、該親綱ワイヤーを内包状態に支持するパイプ状の支持筒が配設されており、
該支持筒の端部から端部にはスリット状間隙が形成され、
前記親綱ワイヤーに掛け止められたスライダークリップが前記支持筒内を通過移動する際に該スライダークリップの安全帯フック取付部の取付脚部が前記スリット状間隙内を通過可能であり、
作業者の非常時等に前記親綱ワイヤーに荷重が掛かった際には、該親綱ワイヤーが前記支持筒内側の荷重方向に接触して支持される構成であることを特徴とする安全帯装置。
【請求項２】
スリット状間隙の両端部が、支持筒の下側に位置していることを特徴とする請求項１に記載の安全帯装置。
【請求項３】
スリット状間隙の両端部が、夫々フレア状に拡開して形成されていることを特徴とする請求項１又は２に記載の安全帯装置。
【請求項４】
スリット状間隙が、親綱ワイヤーの直径より大きな幅に蛇行する非直線状に形成されていることを特徴とする請求項１〜３のいずれかに記載の安全帯装置。
【請求項５】
スリット状間隙の間隙幅が、親綱ワイヤーの直径より小であることを特徴とする請求項１〜４のいずれかに記載の安全帯装置。
【請求項６】
支持筒の両端部が、夫々下方内側に向かって斜めに形成されていることを特徴とする請求項１〜５のいずれかに記載の安全帯装置。
【発明の詳細な説明】
【０００１】
【発明の属する技術分野】
本発明は安全帯に関し、詳しくは建築現場等の高所作業足場に張設されて作業者の安全を確保する安全帯装置に関する。
【０００２】
【従来の技術】
高所作業での作業足場に採用されている親綱ワイヤーの張設は、足場板の外縁等に取り付けた一定間隔毎の支柱の頂部等にフックを利用したり端部にループを形成するなどして取り付けていた。
【０００３】
この親綱ワイヤーに、作業者の安全帯フックを掛け止めて横方向に移動可能な状態で作業者の安全を確保していた。
【０００４】
このような親綱ワイヤーの支持では、親綱ワイヤーの張設が支柱ごとに行われているため、作業者が自由に横移動可能な範囲は支柱間の１スパンという狭い範囲に制限され、隣りのスパンへの移動時は安全帯フックをいったん取り外して隣りのスパンの親綱ワイヤーに掛けかえる不便さがあった。
【０００５】
このような安全帯フックの掛けかえは安全性確保の点で問題があるだけでなく、資材等を運搬している場合などのように両手が塞がっているときは、資材等をいったん足場に置く必要があり、作業効率を低下させるものであった。
【０００６】
そこでかかる問題、即ち、安全帯フックを掛けかえることなく隣接するスパン間を移動できる安全帯装置が種々提案されている（特許文献１、特許文献２、特許文献３、特許文献４参照）。
【０００７】
【特許文献１】
特開２００１−１５９２４５号公報
【特許文献２】
実開平７−１３３５５号公報
【特許文献３】
特開平９−２９００３０号公報
【特許文献４】
特許第２８３６０３６号公報
【０００８】
【発明が解決しようとする課題】
特許文献１に記載の技術では、親綱ワイヤーに掛け止められる金物本体の角度を略水平の所定角度にしなければ支柱部分を通過することができないため、隣接するスパンへの移動時は必ず片手で金物本体を掴む必要がある。しかも金物本体が構造的にスプリング開閉式レバーのみに安全性を依存しているため、安全性確保の点で不安を残している。
【０００９】
特許文献２及び３に記載の技術では、支柱に取り付けられる支持体の構造が複雑であるため、作業現場において設置する支持体の数を考慮するとコスト高となってしまうだけでなく、日常のメンテナンスや動作部の点検など、安全性確保の確認が必須であるという欠点を有している。
【００１０】
特許文献４に記載の技術では、親綱ワイヤーに掛け止めるスライダークリップ側の構造が複雑であるため高価であり、作業者の数だけ用意すると極めてコスト高となってしまう。上記特許文献２及び３と同様に、日常のメンテナンスや動作部の点検など、安全性確保の確認が必須である。
【００１１】
そこで本発明の目的は、簡略な構造でメンテナンスフリーであり、両手が塞がった状態でも隣接するスパンへの移動が可能であり、低コストで安全性の確保が可能な安全帯装置を提供することにある。
【００１２】
【課題を解決するための手段】
本発明の上記課題は下記構成によって達成される。
【００１３】
１．作業足場や欄干間等に張設された親綱ワイヤーに、作業者の安全帯フックに接続されたスライダークリップを水平移動可能に掛け止めて作業者の安全を確保する安全帯装置において、
張設された親綱ワイヤーの任意の一箇所ないし複数箇所に、該親綱ワイヤーを内包状態に支持するパイプ状の支持筒が配設されており、
該支持筒の端部から端部にはスリット状間隙が形成され、
前記親綱ワイヤーに掛け止められたスライダークリップが前記支持筒内を通過移動する際に該スライダークリップの安全帯フック取付部の取付脚部が前記スリット状間隙内を通過可能であり、
作業者の非常時等に前記親綱ワイヤーに荷重が掛かった際には、該親綱ワイヤーが前記支持筒内側の荷重方向に接触して支持される構成であることを特徴とする安全帯装置。
【００１４】
２．スリット状間隙の両端部が、支持筒の下側に位置していることを特徴とする上記１に記載の安全帯装置。
【００１５】
３．スリット状間隙の両端部が、夫々フレア状に拡開して形成されていることを特徴とする上記１又は２に記載の安全帯装置。
【００１６】
４．スリット状間隙が、親綱ワイヤーの直径より大きな幅に蛇行する非直線状に形成されていることを特徴とする上記１〜３のいずれかに記載の安全帯装置。
【００１７】
５．スリット状間隙の間隙幅が、親綱ワイヤーの直径より小であることを特徴とする上記１〜４のいずれかに記載の安全帯装置。
【００１８】
６．支持筒の両端部が、夫々下方内側に向かって斜めに形成されていることを特徴とする上記１〜５のいずれかに記載の安全帯装置。
【００１９】
【発明の実施形態】
次に、本発明の実施態様について添付図面を参照して詳細に説明する。
尚、本明細書において、「作業者」とは、工事等の作業者に限らず、点検者及び見学者等の安全帯装着を要する者の全てを含む。
【００２０】
図１は本発明に係る安全帯装置の一実施例を示す概略正面図、図２は図１のＩＩ−ＩＩ線断面図、図３は図１の概略底面図、図４は図１のＡ〜Ｅ箇所の端面図、図５は支持筒の他の実施例を示す正面図、図６はスライダークリップの他の実施例を示す正面図及び側面図、図７はスライダークリップの他の実施例を示す正面図及び側面図、図８は図７に示すスライダークリップの装着状態を示す説明側面図である。
【００２１】
図１において、１は本発明に係る安全帯装置であり、作業足場や欄干間に張設された親綱ワイヤー２に、作業者の安全帯フック３を取り付けたスライダークリップ４を水平移動可能に掛け止めて作業者の安全を確保する構成を有している。安全帯フック３は、公知公用のものを用いることができる。
【００２２】
張設された親綱ワイヤー２の任意の一箇所ないし複数箇所には、該親綱ワイヤー２を内包状態に支持（抱持）するパイプ状の支持筒５が適宜の位置で配設されている。支持筒５の配設は、作業足場（図示せず）等の支柱６に取り付けられることにより行われる。親綱ワイヤー２の支持は、好ましくは図２に示すように支持筒５に対して非接触であることが好ましいが、部分的に接触していても構わない。
【００２３】
支持筒５の端部から端部にはスリット状間隙５０が形成されており、親綱ワイヤー２に挿通部４２において掛け止められたスライダークリップ４が支持筒５内を通過移動する際に該スライダークリップ４の安全帯フック取付部４０の取付脚部４１が前記スリット状間隙５０内を通過する構成となっている。この通過により、従来のように安全帯フック３を掛けかえることなく、横方向への移動が可能となる。
【００２４】
非常時等には、安全帯フック３及びスライダークリップ４を通して作業者の荷重が親綱ワイヤー２に掛かった際には、該親綱ワイヤー２が支持筒５内側の荷重方向に接触して支持されることになる。この支持により、ロングスパン間に張設された親綱ワイヤー２の任意の中間部での支持が可能となる。
【００２５】
スリット状間隙５０はその両端部、即ち、スライダークリップ４の取付脚部４１が通過する際の入口及び出口となる部分が、支持筒５の下側に位置していることが好ましい。スライダークリップ４は、安全帯フック取付部４０及び取付脚部４１部分がその重みによって下方に垂設した状態を通常の状態としている。従って、スリット状間隙５０の両端部を支持筒５の下側に位置させることで、スライダークリップ４の向きを手等を掴んで変えることなくそのままの状態で取付脚部４１はスリット状間隙５０内へと誘導されることになる。
【００２６】
スリット状間隙５０の両端部は、夫々フレア状に拡開して形成されていることが好ましい（図３参照）。両端部をフレア状に拡開、即ち、スライダークリップ４の取付脚部４１が通過する際の入口及び出口を広げることで、親綱ワイヤー２の揺れや作業者の移動時の動き等によってスライダークリップ４の向きが揺動しても取付脚部４１はスリット状間隙５０内へと誘導されることになる。
【００２７】
スリット状間隙５０は、直線状に形成されているのではなく、図示のように蛇行等の非直線状に形成されていることが好ましい。好ましい蛇行幅としては、親綱ワイヤー２の直径より大きな幅である。さらに、両端部では支持筒５の下側に位置するスリット状間隙５０が、支持筒５の中央に向けて上方に向かって曲線状の山形に形成されていることが好ましい。スリット状間隙５０が、非直線状に形成されることによって、直線的に引張り状態で張設されている親綱ワイヤー２が該スリット状間隙５０から抜け出て外れてしまうことがない。
【００２８】
スリット状間隙５０の形状を上述したように曲線状の山形に形成した場合、スライダークリップ４の取付脚部４１は図４に示すように向きを変えながらスリット状間隙５０内を通過する。図４の（Ａ）図は図１のＡ部分の端面を、（Ｂ）図はＢ部分の端面を、（Ｃ）図はＣ部分の端面を、（Ｄ）図はＤ部分の端面を、（Ｅ）図はＥ部分の端面を、各々示す。
【００２９】
スリット状間隙５０の間隙幅は、親綱ワイヤー２の直径より小であることが好ましい。張設されている親綱ワイヤー２の引張程度が緩慢であっても、スリット状間隙５０の形状に拘わらず、該スリット状間隙５０から抜け出て外れてしまうことがない。
【００３０】
スリット状間隙５０の両端部だけでなく、支持筒２の両端部も拡開形状としてもよい。
【００３１】
以上のような構成を有する支持筒５としては、鋼管、ステンレス管等の建築材料として一般的な金属管から形成可能であり、しかも構造及び加工が極めて簡素であるため、低コストで製作可能である。
【００３２】
金属管から形成する場合、図５に示すように金属管の任意の複数箇所で斜めに切断して、両端部が斜めに切断された支持筒５を複数本形成することができる。
【００３３】
この態様の場合、スリット状間隙５０の両端部をフレア状に拡開した形状に形成しなくても、支持筒５の両端部の斜め部分によってスライダークリップ４の取付脚部４１はスリット状間隙５０内へと誘導されることになる。勿論、スリット状間隙５０の両端部をフレア状に拡開した形状とも併用してもよく、併用することでスライダークリップ４の取付脚部４１はスリット状間隙５０内へとより確実に誘導することができる。
【００３４】
次にスライダークリップ４の他の実施例について説明する。
スライダークリップ４としては、上記説明したような構成、即ち、親綱ワイヤー２を挿通するパイプ体状の親綱ワイヤー挿通部４２に溶接等によって固着又は一体的に形成された取付脚部４１及び安全帯フック取付部４０とから構成されるものの他、種々の態様を採ることができる。
【００３５】
例えば、図６に示すように、丸棒を曲げ加工して安全帯フック取付部４０と親綱ワイヤー挿通部４２とを形成したスライダークリップ４とすることができる。尚、安全帯フック取付部４０内には補強環４３を装着しているが、該補強環４３はなくてもよい。
【００３６】
また、図７に示すように、親綱ワイヤー挿通部４２に蝶番部４４を設けて、該蝶番部４４によって親綱ワイヤー挿通部４２を開放可能に構成することもできる。
【００３７】
図７に示すスライダークリップ４を親綱ワイヤー２に装着するには、図８の（Ａ）図に示すように蝶番部４４を支点として親綱ワイヤー挿通部４２並びに取付脚部４１及び安全帯フック取付部４０を拡開し、（Ｂ）図に示すように親綱ワイヤー３に親綱ワイヤー挿通部４２を挿通状態に掛けた後に閉塞し、（Ｃ）図に示すように安全帯フック取付部４０に安全帯フック３を取り付けることで、掛け止め装着が完了する。
【００３８】
以上、説明したように本発明に係る安全帯装置は、親綱ワイヤーを内包状態に支持するスリット状間隙を形成した支持筒と、親綱ワイヤーに掛け止められるスライダークリップとから主として構成されるだけであり、特にメンテナンスを必要とするような機構や複雑な構成を有しておらず、極めて簡略な構造である。
【００３９】
【発明の効果】
本発明によれば、簡略な構造でメンテナンスフリーであり、両手が塞がった状態でも隣接するスパンへの移動が可能であり、低コストで安全性の確保が可能な安全帯装置を提供することができる。
【図面の簡単な説明】
【図１】本発明に係る安全帯装置の一実施例を示す概略正面図
【図２】図１のＩＩ−ＩＩ線断面図、
【図３】図１の概略底面図
【図４】図１のＡ〜Ｅ箇所の端面図
【図５】支持筒の他の実施例を示す正面図
【図６】スライダークリップの他の実施例を示す正面図及び側面図
【図７】スライダークリップの他の実施例を示す正面図及び側面図
【図８】図７に示すスライダークリップの装着状態を示す説明側面図
【符号の説明】
１　安全帯装置
２　親綱ワイヤー
３　安全帯フック
４　スライダークリップ
４０　安全帯フック取付部
４１　取付脚部
４２　親綱ワイヤー挿通部
４３　補強環
４４　蝶番部
５　支持筒
５０　スリット状間隙
【図１】
2004121584.tif 000003
【図２】
2004121584.tif 000004
【図３】
2004121584.tif 000005
【図４】
2004121584.tif 000006
【図５】
2004121584.tif 000007
【図６】
2004121584.tif 000008
【図７】
2004121584.tif 000009
【図８】
2004121584.tif 000010